(57)【特許請求の範囲】
【請求項１】
背もたれ板と、その表面に張られたクッションと、前記クッションの表面を覆う表皮材とを備えており、前記表皮材は、前記背もたれ板の裏面を大きく覆う袋状に形成されていて荷重受け板の裏側に開口していると共に、開口縁には、当該開口部を閉じた状態に保持する封止手段が設けられている、
という椅子の背もたれであって、
前記背もたれ板における裏面の上部には、前記表皮材の開口部から露出する左右長手の水平片が後ろ向きに突設されている一方、前記表皮材は、前記水平片の下方に位置した左右の縦長開口縁を有していてこの縦長開口縁が封止手段で封止されており、更に、前記水平片のうち左右両端部を除いた部位にはスリットが形成されており、表皮材のうち水平片に沿って延びる上開口縁部を前記スリットに差し込んで抜けない状態に保持している、
椅子の背もたれ。
【請求項２】
請求項１に記載した背もたれ板を備えている椅子。
【発明の詳細な説明】
【０００１】
【発明の属する技術分野】
本発明は、椅子及びその背もたれに関するものである。
【０００２】
【従来の技術】
椅子の背もたれ板にクッションを張る場合、クッションの表面を表皮材（クロス）で覆っている。
【０００３】
その場合、表皮材を止める手段としては、表皮材の周縁が背もたれ板の縁部の裏面に重なるように設定し、この表皮材の周縁に筒状部を縫着形成して、この筒状部に挿入した金属線材を、背もたれ板の裏面に設けた係止部に嵌め込んだり引っ掛けたりしている。
【０００４】
なお、表皮材とクッションとの関係を見ると、表皮材をクッションに接着等によって一体に貼り付ける場合と、単に重ねた場合とがあり、後者の場合は廃棄後の分別が容易である利点がある反面、表皮材に皺がよることを防止するためピンと張った状態に保持する必要性が高いという課題がある。
【０００５】
【発明が解決しようとする課題】
ところで、椅子を設計する場合、背もたれ板の裏面の外周寄りの部分を外側に大きく露出させるようにデザインしたい場合がある。
【０００６】
しかし、従来の表皮材の張り構造では背もたれの裏面のうち周縁部の僅かしか表皮材で覆われていないため、背もたれ板と表皮材との境界が露出して体裁が悪くなるという問題があった。
【０００７】
本発明は、この問題を解消することを課題とするものである。
【０００８】
【課題を解決するための手段】
請求項１の発明は背もたれに係るもので、この背もたれは、背もたれ板と、その表面に張られたクッションと、前記クッションの表面を覆う表皮材とを備えており、前記表皮材は、前記背もたれ板の裏面を大きく覆う袋状に形成されていて荷重受け板の裏側に開口していると共に、開口縁には、当該開口部を閉じた状態に保持する封止手段が設けられている。
【０００９】
更に、前記背もたれ板における裏面の上部には、前記表皮材の開口部から露出する左右長手の水平片が後ろ向きに突設されている一方、前記表皮材は、前記水平片の下方に位置した左右の縦長開口縁を有していてこの縦長開口縁が封止手段で封止されており、更に、前記水平片のうち左右両端部を除いた部位にはスリットが形成されており、表皮材のうち水平片に沿って延びる上開口縁部を前記スリットに差し込んで抜けない状態に保持している。
【００１０】
本発明は、請求項２に記載したように，請求項１に記載した背もたれを備えた椅子も含んでいる。
【００１１】
【発明の作用・効果】
本発明によると、背もたれ板（背インナー部材）の裏面の大部分が表皮材で覆われている。
【００１２】
そして、表皮材が荷重受け板を大きく覆っていることにより、表皮材がずれにくくなるため、表皮材をクッションに接着せずに重ねただけであっても、表皮材を皺のよりにくい状態に張ることが容易にできる。
【００１３】
事務用等の非固定式の椅子では、背もたれ板には、当該背もたれ板を裏カバーやバックフレームに取り付けるための取り付け部のような突起部を後ろ向きに突設していることが殆どであるが、この場合は、表皮材に突起部が露出する穴を設ければ良い。これにより、背もたれ板の取付けの容易性を損なうことなく、表皮材を背もたれ板に取付けることができる。
【００１４】
また、表皮材の上開口縁部は水平片のスリットに抜け不能に保持されているため、水平片の付け根箇所のラインがすっきりと延びて、体裁が良い。
なお、実施形態のように封止手段としてファスナーを使用すると、表皮材の開口部の全体がきっちりと重なり合って表皮材の全体にテンションをかけることができるため、表皮材をピンと張った状態にすることを確実に行える。
【００１５】
【発明の実施形態】
次に、本発明の実施形態を図面に基づいて説明する。
【００１６】
(1).概要（図１〜図３）
先ず、図１〜図３に基づいて椅子の概要を説明する。図１は椅子（回転椅子）の右側面図、図２は正面図、図３は背面図である。
【００１７】
椅子は、脚支柱（ガスシリンダ）１を立設した脚２と、座３と、肘掛け装置４と、背もたれ５と、ヘッドレスト６とを備えている。脚支柱１の上端には上向きに開口したベース７が固定されており、ベース７の上方に正面視で翼状に広がる中間部材８と、座３とが配置されている。
【００１８】
詳細は省略するが、座３は、合成樹脂製の座板（座インナー部材）にクッションを張った構造になっており、詳細は省略するが、座板の左右両側部を中間部材に対して前後動自在に装着している。
【００１９】
ベース７の前後略中間部には、揺動フレーム９の前部が左右長手の軸１０によって連結されている。また、揺動フレーム９の前後中途部には、中間部材８の後部に軸によって連結されている。本実施形態では、座３は背もたれ５の後傾動に連動して後傾しつつ後退する（すなわちシンクロする）ようになっており、背もたれ５の後傾動と座３の後傾動及び後退動とは、ベース７に内蔵したばねで弾性的に支持される。
【００２０】
背もたれ５は、揺動フレーム９に取付けたバックフレーム（背支柱）１１と、バックフレーム１１の手前側に配置した背もたれ板（背インナー部材）１２と、バックフレーム１１の裏側に配置した裏カバー（背アウター部材）１３とを備えている。
【００２１】
背もたれ板１２の前面にはクッション１４が張られており、クッション１４は布等の表皮材１５で覆われている。
【００２２】
(2).背もたれの構造
次に、図４〜図９に基づいて、背もたれ５の構造を説明する。図４は背もたれ板１２を省略した状態での背もたれ５の正面図、図５は背もたれの縦断側面図、図６はクッション２３を省略した状態での縦断側面図、図７はバックフレーム１１と背もたれ板１２と裏カバー１３との分離側断面図、図８及び図９は背もたれ板１２の取付け状態を示す斜視図である。
【００２３】
既述のとおり、背もたれ５は、金属製のバックフレーム１１と合成樹脂製の背もたれ板１２と同じく合成樹脂製の裏カバー１３とを備えており、バックフレーム１１にはランバーサポート機構１６を上下動自在に取付けている。
【００２４】
図６に示すように、バックフレーム１１は左右の支柱１１ａを備えており、左右の支柱１１ａは上部横長部材１１ｂと下部横長部材（下係合部）１１ｃとで連結されている。バックフレーム１１の左右支柱１１ａは、揺動フレーム９の立ち上がり部９ａに嵌め込まれてねじで固定されている。
【００２５】
図４に示すように、裏カバー１３の上部には前向きに突出した左右長手の水平リブ１７を形成しており、この水平リブ１７に連設した状態で左右一対の下向き開口筒部１８が形成されており、この下向き開口筒部１８に、バックフレーム１１の支柱１１ａの上端を嵌め込み、ねじで固定している。
【００２６】
また、図４や図７に示すように、裏カバー１３の下部には、バックフレーム１１の下部横長部材１１ｃに上方から嵌合するブラケット部１９を一体に設け、ブラケット部１９を下部横長部材１１ｃにねじ２０で固定している。
【００２７】
背もたれ板１２の上部には、裏カバー１３の水平リブ１７よりも上方に位置する左右長手の水平片２１を後ろ向きに突設しており、水平片２１の左右両端部に、円柱状の上取付け部２２を下向きに突設し、これを、裏カバー１３の水平リブ１７に連設した円筒状の上受け部２３に上方から嵌め込んでいる。
【００２８】
この場合、上取付け部２２と背もたれ板１２とは板状部２２ａによって一体に接続されている一方、裏カバー１３の上受け部２３には、板状部２２ａが嵌合するスリット２４を形成している。
【００２９】
また、上取付け部２２の先端には、上受け部２３の下端面に引っ掛かり係合する係合爪２５を一体に設けている。このため、上取付け部２２を上受け部２２に嵌め込むと、背もたれ板１２は上向き抜け不能に保持される。係合爪２５を外側から内側に押しやった状態で背もたれ板１２を上向きに押し上げると、背もたれ板１２を取り外すことができる。
【００３０】
背もたれ板１２の下部には、バックフレーム１１の下部横長部材１１ｃと裏カバー１３との間の空間に上方から入る下取付け部２７を一体に形成している。下取付け部２７は、背もたれ板１２が手前側に移動し得るように上下方向に長く延びており、その下端に、バックフレーム１１の下部横長部材２０ｃに引っ掛かることによって背もたれ板１２の前向き移動限度を規制する爪２９ｃを設けている。
【００３１】
また、図１２に示すように、背もたれ板１２には下取付け部２９の上部を囲うようなスリット２８が形成されており、このため、下取付け部２９を前後移動させるように容易に変形させることができる。
【００３２】
背もたれ板１２を取付ける場合は、先に下取付け部２７を下部横長部材２０ｃと裏カバー１３との間に挿入してから、上部取付け部２２を裏カバー１３の上受け部２３に弾性に抗して嵌め込むことになる。取り外しは逆の手順で行う。
【００３３】
ヘッドレスト６は支柱６ａを備えており、この支柱６ａは、裏カバー１３に設けた上下一対ずつの筒部３９に上方から挿入している（下方の筒部は図面では省略している）。
【００３４】
(3).ランバーサポート機構
図４に表示したランバーサポート機構１６は、背もたれ板１２のうち特に着座した人の腰に当たる部分を中心にして前向き突出させることにより、着座した人に、その体格に応じた正しい姿勢を採れるようにするためのものである。
【００３５】
本実施形態のランバーサポート機構１６は、バックフレーム１１の支柱１１ａに上下動自在に装着したスライドケース２９と、左右のスライドケース２９を一体に連結する連結板３０と、と、スライドケース２９に設けた押圧アーム３１と、左右の押圧アーム３１を一緒に回動させるための連動軸３２と、左右の押圧アーム３１を同時に操作するハンドル３３とを備えている。
【００３６】
図示していないが、スライドケース２９の底部には前後方向に変形自在な撓み爪を設けている一方、図７に示すように、裏カバー１３には、前記撓み爪が係合する凹凸部３４を形成している。従って、ある程度の力をかけるとランバーサポート機構１６を自在に高さ調節することができる。
【００３７】
揺動アーム３１はその上端を中心にして前後回動するように取り付けられており、その下端には、背もたれ板１２の裏面に当たるローラ３５を設けている。詳細は省略するが、ハンドル３３を手前に引くように回動させると、揺動アーム３１が手前に回動し、その回動した状態が保持される。
【００３８】
これにより、着座した人の体格や好みに応じて背もたれ板１２を前進させて、背もたれ板１２を着座した人の腰にフィットさせることができる。揺動アーム２５が最も大きく回動した状態（すなわちローラ３５が最も前進した状態）から更にハンドル３３を回動させると、揺動アーム３１は回動していない姿勢に戻ってローラ３５は後退位置になる。
【００３９】
ハンドル３３は裏カバー１３を後ろ側から覆うように形成されており、その両端部は、前記連動軸３２によってスライドケース４５の上端部に回動可能に軸支されている。
【００４０】
(4).表皮材の取り付け
次に、図１０も参照して表皮材１５の取り付けを説明する。図１０のうち（Ａ）は背面図、（Ｂ）は（Ａ）のＢ−Ｂ視断面図であり、（Ａ）から理解できるように、表皮材１５は背もたれ板１２の裏面の全体をすっぽり覆うような袋状に形成されている。
【００４１】
そして、表皮材１５には、背もたれ板１２の水平片２１を露出させる上部水平穴１５ａと、下取付け部２７を露出させる下部穴１５ｂとが空いており、上下の穴１５ａ，１５ｂの左右中間部を繋ぐ縦長開口縁１５ｄは、開閉具３６を備えたファスナー３７で開閉自在に接続されている。ファスナー３７は封止具の一例である。
【００４２】
このように、表皮材１５は袋状になっているため、背もたれ板１２の裏面が外側に大きく露出する場合であっても、美感を損なうことがない。また、ファスナー３７を閉じると表皮材１５に対してテンションをかけることができるため、表皮材１５に皺がよることを防止できる。
【００４３】
更に、表皮材１５は背もたれ板１３に倣った形状に形成されているため、表皮材１５のずれを防止できると共に、皺の発生をより一層抑制できる。また、ファスナー３７は裏カバー１３で覆われているため、体裁が悪くなることもない。なお、ファスナー３７は金属製には限らず、合成樹脂製などでも良い。
【００４４】
背もたれ板１３の水平片２１のうち左右両端部を除いた部位にはスリット３８が形成されており、このスリット３８に、表皮材１５のうち水平片２１に沿って延びる上開口縁部１５ｃを差し込んでいる。
【００４５】
この場合、図１５（Ｂ）に示すように、上開口縁部１５ｃは折り返した状態に縫着しており、他の部分よりも厚くなっている。このため、上開口縁部１５ｃをマイナスドライバーのような薄い道具４０でスリット３８に押し込むと、表皮材１５の上開口縁１５ｃは抜け不能に保持される。このため、水平片２１の付け根箇所のラインがすっきりと延びて、体裁が良い。
【００４６】
図１０（Ｃ）に示すように、上開口縁部１５ｃに縫着形成した筒状部にスポンジ状の軟質材４１を挿入したり、或いは、上開口縁部１５ｃにスポンジを縫い付けてもよく、このようにすると、表皮材１５の抜けをより確実に防止できる。
【００４７】
なお、図６や図１０に示すように、背もたれ板１２の左右両側部（ローラ３５が当たる部分の周囲）には、階段状に曲がったスリット１２ａを多段に形成している。
【００４８】
(5).参考例（図11〜図12）
図１１〜図１２では参考例を示しており、図１１は背もたれ板１２と表皮材１５とを分離した背面図、図１２のうち（Ａ）は図１１のＡ−Ａ視断面図、（Ｂ）は図１１のＢ−Ｂ視断面図である。
【００４９】
この参考例では、封止手段として、表皮材１５の縦長開口縁１５ｄにボタン穴４２を適当な間隔で複数個設ける一方、背もたれ板１２には、前記ボタン穴４２を嵌まる突起４３を設けている。
【００５０】
また、表皮材１５の上開口縁部１５ｃを筒状に形成したこれに直線状に延びる線材４４を挿入し、更に、線材４４の左右両端部を丸く折り曲げて、その両端部を、背もたれ板１２に形成した突起に引っ掛けている。なお、単に線材４４を挿入しただけでも良い。
【００５１】
(6).その他
本発明は更に様々に具体化することができる。例えば、封止手段としては、表皮材の開口縁部に空けた多数の穴に、靴紐を通すような容量で紐を挿入し、この紐を引っ張ることによって開口部を絞ったり、或いは、ホックで止めたりしても良い。
【図面の簡単な説明】
【図１】椅子の右側面図である。
【図２】椅子の正面図である。
【図３】 (A)は椅子の背面図、 (B)は裏カバーの部分背面図、 (C)は (B)の C-C視断面図である。
【図４】背もたれ板を省略した状態での背もたれの正面図である。
【図５】背もたれの縦断側面図である。
【図６】クッションを省略した状態での背もたれの縦断側面図である。
【図７】背もたれの分離側断面図である。
【図８】背もたれ板の取り付け手段を示す斜視図である。
【図９】背もたれ板の取り付け手段を示す斜視図である。
【図10】(A) は背もたれ板の背面図、 (B)は (A)の B-B視断面図、(C) は別例の断面図である。
【図11】参考例の背面図である。
【図12】(A) は図１１の A-A視断面図、 (B)は図１１の B-B視断面図である。
【符号の簡単な説明】
３  座
５  背もたれ
１１  バックフレーム
１２  背もたれ板
１３  裏カバー
１４  クッション
１５  表皮材
１５ａ，１５ｂ  穴
１５ｃ  上開口縁部
１５ｄ  表皮材の縦長開口縁
１６  ランバーサポート機構
２１  水平片
３７  ファスナー
３８  水平片のスリット
【図１】
0003850701.tif 000002
【図２】
0003850701.tif 000003
【図３】
0003850701.tif 000004
【図４】
0003850701.tif 000005
【図５】
0003850701.tif 000006
【図６】
0003850701.tif 000007
【図７】
0003850701.tif 000008
【図８】
0003850701.tif 000009
【図９】
0003850701.tif 000010
【図１０】
0003850701.tif 000011
【図１１】
0003850701.tif 000012
【図１２】
0003850701.tif 000013